(57)【要約】【課題】イオン発生ユニットを備えた照明器具であって、効果的に熱量を放出することが可能な照明器具を提供する。【解決手段】照明器具１００は、本体１と、イオン発生ユニット１０とを備える。本体１は、光源としてのＬＥＤを含む光源ユニットと、ＬＥＤの熱を放出する放熱板３とを有する。イオン発生ユニット１０は、放熱板３の上面３ｃに設置される筐体２０と、筐体２０の内部において気流を発生させる渦流ファン３０と、イオン発生素子５０とを有する。筐体２０は、放熱板３の上面３ｃに対向する底面を構成する底部２７と、底部２７を貫通する開口２９とを有する。【選択図】図６
2014096259.tif 000002
【特許請求の範囲】
【請求項１】
光源と、前記光源の熱を放出する放熱部とを有する本体と、
前記放熱部の上面に設置される筐体と、前記筐体の内部において気流を発生させるファンと、イオン発生装置とを有するイオン発生ユニットとを備え、
前記筐体は、前記放熱部の上面に対向する底面と、前記底面を貫通する開口とを有する、照明器具。
【請求項２】
前記筐体の周囲において、前記放熱部の上面と前記筐体の底面との間には、隙間が存在する、請求項１に記載の照明器具。
【請求項３】
前記筐体には、前記本体の外部から前記筐体の内部に空気を流入させ且つ略水平方向に面する吸込口と、前記筐体の内部から前記本体の外部に空気を流出させる吹出口とが形成され、
前記吹出口は、前記吸込口が配置される平面とは異なる平面上に配置されている、
請求項１または請求項２に記載の照明器具。
【請求項４】
前記照明器具は、天井に設置され、
複数の前記イオン発生ユニットを備え、
各前記イオン発生ユニットの上端は、天井に接触し、
前記本体の上方において、複数の前記イオン発生ユニットの位置は、前記本体の中心に関して対称である、請求項１から請求項３までのいずれか１項に記載の照明器具。
【請求項５】
前記ファンは、前記放熱部の上面が延びる方向と略平行な方向に流れる気流を発生させる渦流ファンである、請求項１から請求項４までのいずれか１項に記載の照明器具。
【発明の詳細な説明】
【技術分野】
【０００１】
本発明は、一般的には照明器具に関し、特定的には、イオン発生ユニットを備えた照明器具に関する。
【背景技術】
【０００２】
特開２００７−２２７０４３号公報（以下、特許文献１という）に記載の照明器具のように、イオン発生ユニットとしてのイオン発生装置を備えた照明器具が知られている。
【０００３】
特許文献１に記載された照明器具は、天井に設置される照明器具である。当該照明器具の本体には、複数のイオン発生装置が設けられている。各イオン発生装置は、本体の中心に対して回転対称となるように配置されている。イオン発生装置は、本体から外部に向かって略水平方向にイオンを放出する。
【０００４】
また、当該照明器具は、送風部を備えている。送風部は、略水平方向のうちのイオンが放出される方向と略直交する方向に送風する。イオン発生装置から放出されるイオンは、放出された方向から略直交する方向に誘引され且つ落下しながら部屋中に拡散する。
【先行技術文献】
【特許文献】
【０００５】
【特許文献１】特開２００７−２２７０４３号公報
【発明の概要】
【発明が解決しようとする課題】
【０００６】
特許文献１に記載された照明器具においては、本体の上端部に配置されたイオン発生装置によって、本体の上面の表面積、つまり、照明装置が発生させる熱量を放出するための表面積が減少する。しかしながら、特許文献１に記載された照明器具においては、イオン発生装置が載せられた位置における放熱について、何ら対策が施されていない。
【０００７】
そこで、本発明の目的は、イオン発生ユニットを備えた照明器具であって、効果的に熱量を放出することが可能な照明器具を提供することである。
【課題を解決するための手段】
【０００８】
本発明に従った照明器具は、本体と、イオン発生ユニットとを備える。本体は、光源と、光源の熱を放出する放熱部とを有する。イオン発生ユニットは、放熱部の上面に設置される筐体と、筐体の内部において気流を発生させるファンと、イオン発生装置とを有する。筐体は、放熱部の上面に対向する底面を構成する底部と、底部を貫通する開口とを有する。
【発明の効果】
【０００９】
本発明によれば、イオン発生ユニットを備えた照明器具であって、効果的に熱量を放出することが可能な照明器具を提供することができる。
【図面の簡単な説明】
【００１０】
【図１】本発明に従った照明器具を斜め上方から見た斜視図である。
【図２】本発明に従った照明器具を斜め下方から見た斜視図である。
【図３】本発明に従った照明器具を斜め下方から見た斜視図であって、当該照明器具の一部の内部を示す図である。
【図４】本発明に従った照明器具を斜め上方から見た斜視図であって、特にイオン発生ユニットを拡大して示す図である。
【図５】図４のＶ線が示す方向から見た照明器具の断面図であって、特にイオン発生ユニットを拡大して示す図である。
【図６】本発明に従った照明器具を斜め上方から見た斜視図であって、特にイオン発生ユニットの内部を拡大して示す図である。
【図７】本発明に従った照明器具のイオン発生ユニットを斜め下方から見た斜視図である。
【図８】本発明に従った照明器具を斜め下方から見た斜視図であって、イオンが放出される方向を概略的に示す図である。
【図９】本発明に従った照明器具が設置された室内におけるイオンの濃度分布を示す概略図である。
【発明を実施するための形態】
【００１１】
以下、本発明の実施の形態を図面に基づいて説明する。
【００１２】
図１に、本発明に従った照明器具１００を示す。図１は、照明器具１００を斜め上方から見た斜視図である。照明器具１００は、図示しない天井のような照明器具設置用の設置面に設置される。照明器具１００は、本体１と、二つのイオン発生ユニット１０と、放熱板３とを備える。イオン発生ユニット１０は、筐体２０を有する。筐体２０は、本体１の上面に設置される。本体１は、光源としてのＬＥＤ（light Emitting diode）を含む光源ユニットを収容する。光源ユニットについては、後述する。
【００１３】
図２は、照明器具１００を斜め下方（照射面である床面の側）から見た斜視図である。本体１の上面とは、照明器具１００の発光面を形成する外周カバー４ａと反対側の面、つまり、天井側の面である。本体１は、後述する外枠部材２、放熱板３、回路収容部４０、外周カバー４ａ、中央カバー４ｂ、および、枠５等を有する。
【００１４】
放熱部の一例としての放熱板３（図１参照）は、中央に開口（不図示）を有する略円板形状を有する。放熱板３は、放熱性および熱伝導性が良好なアルミニウムまたは鉄等の金属製の材料から形成されることが好ましい。ただし、放熱板３を構成する材料は、特に限定されない。筐体２０は、本体１の上面を構成する放熱板３の上面３ｃに、ネジ等によって固定される。つまり、イオン発生ユニット１０は、本体１に取り付けられた状態で他の部材に覆われることなく、本体１の上面で外部に露出した状態で取り付けられている。なお、筐体２０は、図示しない取り付け用の台座等を介して本体１に設置されていてもよい。放熱板３は、本体１のうちの光源ユニットを収容する部分と、イオン発生ユニット１０との間に配置される。
【００１５】
回路収容部４０は、放熱板３の中央の開口（図示せず）に嵌められるように放熱板３に固定される。回路収容部４０は、放熱板３の上面３ｃから上方に突出する。ただし、回路収容部４０は、図示しない取り付け用の台座、または、弾性材料によって形成される干渉部材等を介して放熱板３に取り付けられていてもよい。回路収容部４０は、イオン発生ユニット１０の駆動に必要な電気回路等を収容する空間を含むように箱形状を有する。また、照明器具１００の照明および調光に必要な電気回路等は、回路収容部４０の内部と、本体１のうちの光源ユニットを収容する部分とに配置されている。回路収容部４０は、本体１および放熱板３の中央に配置される。本体１の中心を示す中心Ｃは、回路収容部４０を通る。
【００１６】
外枠部材２は、略円環形状を有する。外枠部材２は、放熱板３の半径方向の外側に配置されるように、放熱板３の外縁部３ｂに取り付けられる。放熱板３の外縁部３ｂが形成する円の中心と、外枠部材２の外縁２ａが形成する円および内縁が形成する円の中心とは、本体１の中心Ｃに略一致する。放熱板３および外枠部材２の半径方向に沿って、放熱板３の外縁（図示せず）が外枠部材２の内縁よりも外側に位置するように、放熱板３の外縁が外枠部材２の内縁に嵌め合わされる。
【００１７】
本体１の上方において、二つのイオン発生ユニット１０の位置は、本体１の中心Ｃに関して対称である。回路収容部４０の上端部と各筐体２０の上端部とには、それぞれ、パッキン４１とパッキン１２とが取り付けられている。パッキン４１とパッキン１２とは、スポンジ状のものである。照明器具１００が天井に設置される場合には、パッキン１２とパッキン４１とが天井に接触する。
【００１８】
各筐体２０の上面におけるパッキン１２の内側には、開口１１が形成されている。パッキン１２は、開口１１の縁に取り付けられている。照明器具１００が天井に設置される場合は、パッキン１２が天井と開口１１の縁との間を塞ぐことによって、開口１１は天井によって閉塞される。開口１１によって、イオン発生ユニット１０を構成する材料を削減することできるため、照明器具１００を軽量化することができる。
【００１９】
図２に示すように、本体１は、光源から生じる光を拡散させる外周カバー４ａおよび中央カバー４ｂを含む。中央カバー４ｂは、本体１の中心Ｃに配置され、略円板形状を有する。本体１において中央カバー４ｂの外縁と外周カバー４ａの内縁との間には、略円環状の枠５が配置される。外周カバー４ａは、略円環形状を有する。外周カバー４ａの内径は、中央カバー４ｂの径よりも大きい。外周カバー４ａは、枠５と外枠部材２の内縁とに挟まれるように、中央カバー４ｂの半径方向の外側に配置される。中央カバー４ｂの外縁が形成する円の中心と、外周カバー４ａの外縁が形成する円および内縁が形成する円の中心とは、本体１の中心Ｃに略一致する。
【００２０】
外枠部材２には、ルーバ８が取り付けられる。ルーバ８は、外枠部材２において、後述する吹出口を覆う位置に取り付けられる。外枠部材２には、吹出口に対向する位置に切り欠きが形成されている。この切り欠きの部分に、ルーバ８が嵌められる。
【００２１】
図３は、照明器具１００を斜め下方から見た斜視図であって、照明器具１００の一部の内部を示す図である。図３の下方から上方を指す方向は鉛直下方であって、且つ、図３の上方から下方を指す方向は鉛直上方である。図３に示す照明器具１００の状態は、図２に示す照明器具１００の状態から外周カバー４ａが取り外された状態である。
【００２２】
図３に示すように、本体１には、光源としてのＬＥＤが取り付けられた基板と、ＬＥＤが発する光を拡散させる導光部材とを含む光源ユニット６が収容されている。光源ユニット６は、本体１の中央部である中心Ｃの周囲に配置され、図示しない本体１のフレームに固定される。光源ユニット６の下方（照射面の側）には、枠５が配置される。放熱板３において、外周カバー４ａ（図２参照）と対向する位置には、反射シート７が取り付けられる。
【００２３】
図４は、照明器具１００を斜め上方から見た斜視図であって、特にイオン発生ユニット１０を拡大して示す図である。図４に示すように、筐体２０は、パッキン１２が取り付けられた上面壁２５の他に、正面壁部２１と、周壁２８と、図４に図示しない底部２７とを有する。正面壁部２１は、略水平方向に面し、外枠部材２の外縁２ａが延びる方向に沿って延びている。また、正面壁部２１は、放熱板３の外縁部３ｂに沿って配置される。ここでいう略水平方向に正面壁部２１が面することとは、正面壁部２１の全体が略鉛直方向に延びることに限定されず、正面壁部２１の少なくとも一部が略水平方向に面することをいう。正面壁部２１は、略水平方向に面する部分（言い換えると、水平面に略直交する部分）と、水平方向および鉛直上方に面する部分（言い換えると、水平面に対して傾斜する部分）とを有する。周壁２８は、正面壁部２１を囲むように略鉛直方向に沿って延びている。また、周壁２８は、筐体２０の側面のうち、本体１の半径方向の内側を向く部分と、本体１の外周（言い換えると、外枠部材２の外縁２ａ）を向く部分とを形成する。
【００２４】
筐体２０の正面壁部２１には、吸込口２３が形成されている。図４の白抜きの矢印Ｄ１が示すように、吸込口２３は、本体１の外部から筐体２０の内部に向かって空気を流入させる。吸込口２３は、放熱板３の外縁部３ｂつまり外枠部材２の外縁２ａの近傍において、本体１の半径方向のうちの放熱板３の上面３ｃの外側から内側に向かって空気を流入させる。吸込口２３は、本体１の外縁の近傍に配置される。詳細には、放熱板３の上面３ｃにおいて正面壁部２１の位置が外縁部３ｂの近傍に略一致するように、筐体２０が放熱板３の上面３ｃに取り付けられる。放熱板３に外枠部材２が取り付けられている場合には、正面壁部２１の位置は、外枠部材２の内縁の近傍に略一致する。これにより、吸込口２３の位置は、外枠部材２の内縁の位置に略一致する。吸込口２３を通って筐体２０の内部に流入した空気は、図４の白抜きの矢印Ｄ２が示すように、筐体２０の内部から外枠部材２の外部に向かって流出する。
【００２５】
図５は、図４のＶ線が示す方向から見た吹出口２４を通る断面図であって、特にイオン発生ユニット１０を拡大して示す図である。図５に示すように、筐体２０には、吹出口２４が形成されている。吹出口２４は、筐体２０の内部から本体１の外部に向かって空気を流出させ且つ略鉛直下方に面する。すなわち、吹出口２４は、吸込口２３の面が延びる方向と平行な方向でない方向に延びる平面上に配置されている。吸込口２３と吹出口２４とは、筐体２０において互いに隣接する位置に形成される。ここでいう略鉛直下方に吹出口２４が面することとは、吹出口２４の全体が略水平方向に延びることに限定されず、吹出口２４の少なくとも一部が略鉛直下方に面することでよく、吹出口２４を形成する開口の面が水平面に対して傾斜した状態であってもよい。
【００２６】
筐体２０には、渦流ファン３０が収容される。渦流ファン３０は、モータ３１とモータ軸３２とを有する。モータ軸３２は、略鉛直方向に延びる。すなわち、渦流ファン３０の回転軸線は、略鉛直方向に延びる。モータ３１は、図示しない電気回路に接続されている。モータ３１の駆動に伴う渦流ファン３０の回転によって、筐体２０の内部に気流が発生する。この気流によって筐体２０の内部の圧力の分布が変化することにより、本体１の外部から筐体２０の内部に空気が流入し、且つ、筐体２０の内部から本体１の外部に空気が流出する。
【００２７】
筐体２０の内部には、イオン発生装置の一例としてのイオン発生素子５０が配置されている。イオン発生素子５０は、筐体２０の底部２７の上に取り付けられる。底部２７は、放熱板３の上面３ｃと対向する筺体２０の底面を構成する。イオン発生素子５０は、図示しない電気回路に接続されている。イオン発生素子５０においては、正イオンと負イオンとが発生する。正イオンとしては、Ｈ+（Ｈ2Ｏ）m（ｍは任意の自然数）であり、負イオンとしてはＯ2-（Ｈ2Ｏ）n（ｎは任意の自然数）である。このような正イオンと負イオンとによって、空気中の細菌またはカビ菌の表面に正イオンおよび負イオンが付着して結合し、その時に起こる反応によって活性種である水酸基ラジカル（・ＯＨ）または過酸化水素（Ｈ2Ｏ2）が発生し、その酸化作用によって細菌またはカビ菌を殺菌することができる。
【００２８】
筐体２０の内部に流入した空気には、吹出口２４の上流においてこれらのイオンが混合される。吹出口２４からは、これらのイオンが混合された空気が流出する。このようにして、照明器具１００が設置された空間に、正イオンと負イオンとを効果的に拡散させることができる。
【００２９】
筐体２０の内部において、吹出口２４の上流の部分は、ダクトが延びるような形状が形成されている。筐体２０の内部には、壁部の一例としての誘導壁２６が形成されている。誘導壁２６は、吹出口２４の上流且つ吹出口２４の近傍において筐体２０の天井を形成する。誘導壁２６は、吹出口２４に向かって流れる空気を誘導する。誘導壁２６が延びる方向は、水平方向に対して４０°以上且つ６０°以下の範囲に含まれる。つまり、誘導壁２６が形成する面が水平方向に対して傾斜する角度は、４０°以上且つ６０°以下の範囲に含まれる。誘導壁２６の全体が延びる方向は、好ましくは、水平方向に対して５０°である。このような筐体２０の形状により、誘導壁２６は、水平方向に対して４０°以上且つ６０°以下の範囲で空気が流れるように吹出口２４から流出する空気が流れる方向を調整する。
【００３０】
図６は、照明器具１００を斜め上方から見た斜視図であって、特にイオン発生ユニット１０の内部を拡大して示す図である。図６に示す照明器具１００においては、図４に示す照明器具１００のイオン発生ユニット１０の筐体２０から上面壁２５（図４参照）が取り外されている。筐体２０において、上面壁２５は、ネジ等によって着脱自在に取り付けられている。
【００３１】
図６に示すように、筐体２０は、脚部２２ａ，２２ｂ，２２ｃを含む複数の脚部を有する。脚部２２ａ，２２ｂ，２２ｃは、周壁２８から筐体２０の外部に向かって延びる突起状の部分である。これら脚部２２ａ，２２ｂ，２２ｃがネジ等によって放熱板３または外枠部材２に固定されることにより、筐体２０が本体１の上に取り付けられる。
【００３２】
脚部２２ａは、筐体２０を外枠部材２に固定させる部位である。脚部２２ａは、外枠部材２の切り欠きおよびルーバ８を挟むように、吹出口２４の両脇に配置される。脚部２２ｂは、外枠部材２の半径方向に沿って、外枠部材２の内縁よりも内側に配置される。脚部２２ｂは、筐体２０を放熱板３に固定させる部位である。脚部２２ｃは、脚部２２ｂよりも放熱板３の半径方向の内側において筐体２０を放熱板３に固定させる部位である。図６に示すように、例えば脚部２２ｃと放熱板３との間と、脚部２２ａと外枠部材２との間とには、シリコン等の防振部材３８が配置されている。これにより、渦流ファン３０の作動による振動等が本体１に伝わることを防止することができる。また、放熱板３の熱膨張に起因して筐体２０に歪みが生じることを防止することができる。
【００３３】
周壁２８は、渦流ファン３０を囲む形状を有する。空気が流れる方向に沿って、周壁２８は、正面壁部２１（図４参照）の下流において、渦流ファン３０の外形を形成する円の接線に沿う形状を有する。また、周壁２８は、吹出口２４が近づくに従って筐体２０の内部の流路の幅が広がるように上記円の接線から離れる形状を有する。
【００３４】
筐体２０は、渦流ファン３０の回転によって生じる気流によって、筐体２０の下方に位置する放熱板３が冷却されるように構成されている。図６に示すようにイオン発生ユニット１０を上方から見る場合には、渦流ファン３０は、反時計回りに回転する。底部２７は、放熱板３に対向する。また、図５に示すように、筐体２０の底部２７と放熱板３との間には、隙間３ａが存在する。より具体的には、筐体２０の周囲において、底部２７と放熱板３の上面３ｃとの間には、部分的に隙間３ａが形成されている。底部２７と放熱板３との間の隙間３ａの大きさは、例えば、筐体２０の形状と放熱板３の上面の形状とを適宜調整することによって変化する。
【００３５】
また、筐体２０の底部２７には、筐体２０の外部と内部とを連通させる複数の開口２９が形成されている。これらの開口２９は、放熱板３に面し、底部２７を貫通している。
【００３６】
図７は、イオン発生ユニット１０を斜め下方から見た斜視図である。筐体２０の内部に発生する気流の影響により、底部２７の下方から開口２９を通って空気が筐体２０の内部に流入する。このとき、渦流ファン３０から生じる気流が放熱板３の上面３ｃ（図６参照）を通ることによって放熱板３による放熱が促進されるため、放熱板３に含まれる熱量を減少させることができる。隙間３ａを通過したうえで底部２７の下方から開口２９を通って筐体２０の内部に流入する空気は、吸込口２３を通って流入する空気とともに、吹出口２４から流出する。
【００３７】
図６に示すように、ルーバ８は、複数の羽板８ａを有する。ルーバ８において、羽板８ａの数は、１１である。各羽板８ａが略鉛直方向および略水平方向に沿って延びるように、ルーバ８が外枠部材２に取り付けられている。各羽板８ａは、本体１の半径方向と略平行な方向に延びる。ルーバ８における羽板８ａの移動は制限されており、ルーバ８および外枠部材２に対して羽板８ａが移動しないように、ルーバ８に羽板８ａが固定されている。羽板８ａの形状は、それぞれ同一である。各羽板８ａは、筐体２０の内部に配置される（図５参照）。吹出口２４から筐体２０の外部に流出する空気は、羽板８ａに沿って円滑に流れた後に、吹出口２４から流出する。
【００３８】
図６に示すように、イオン発生素子５０は、正イオン発生部５１と負イオン発生部５２とを有する。各羽板８ａによって、筐体２０の内部において外枠部材２の円周方向に沿って複数の気流の流路が区画されている。そのため、イオン発生素子５０において発生する正イオンと負イオンとが羽板８ａによって分散しながら吹出口２４から放出されるため、筐体２０の内部において、または、吹出口２４から放出された直後において、中和することを防止することができる。また、隣り合う二つの羽板８ａの間隔は、好ましくは、使用者の指が入らない程度の間隔である。
【００３９】
また、図５に示すように、各羽板８ａの上面８ｂは、本体１の半径方向に沿った羽板８ａの内側の端部が下方を向くように、鉛直方向および水平方向に対して傾斜している。羽板８ａは、筐体２０の内部において、誘導壁２６が形成するダクト形状を有する部分に配置されている。誘導壁２６に沿って流れる空気が各羽板８ａの上面に対して略直交する方向から隣り合う二つの羽板８ａの間に流入することができるように、ルーバ８と外枠部材２と筐体２０との各形状が形成されている。各羽板８ａの上面が延びる方向は、好ましくは、水平方向に対して約３０°である。イオン発生素子５０とルーバ８との間に所定の距離が隔てられるように、羽板８ａの上面の位置が調整されることによって、イオン発生素子５０の放電性能を維持することができる。
【００４０】
筐体２０の内部には、インジケータ６０が配置されている。図示しない電源回路とインジケータ６０とは、配線３９によって接続されている。なお、配線３９は、イオン発生素子５０に接続される配線と、渦流ファン３０に接続される配線とを含む。イオン発生素子５０が作動するとき、つまり、イオン発生素子５０がイオンを発生させるときには、インジケータ６０が発光する。筐体２０の内部で発光するインジケータ６０の光は、ルーバ８を通して照明器具１００の外部に漏れる。
【００４１】
図８は、照明器具１００を斜め下方から見た斜視図であって、イオンが放出される方向を概略的に示す図である。なお、図４，５，７，８において示す白抜きの矢印は、気流が流れる方向を概略的に示すものであって、気流の速度または規模を示すものではない。図８の白抜きの矢印に示すように、ルーバ８の各羽板８ａ（図６参照）の間を通って本体１の外部に流出する空気は、水平方向に広がりながら本体１の下方に放出される。このとき、イオンを含む空気の一部は、誘導壁２６に沿って筐体２０の内部から放出される。そのため、吹出口２４（図５参照）およびルーバ８から放出される空気が流れる方向は、水平方向に対して４０°以上且つ６０°以下の範囲で調整される。また、吹出口２４から放出される際に誘導壁２６に当たったイオンの一部は、本体１の半径方向の外側よりも本体１の中央側、つまり、照明器具１００の略直下方向に放出される。これにより、室内における照明器具１００から離隔した領域だけでなく、照明器具１００の直下の領域にもイオンを拡散することができる。このように、照明器具１００においては、室内等の空間の上部から放出されるイオンを室内等の空間の比較的広い範囲に効果的に拡散させることができる。
【００４２】
以上のように、照明器具１００は、本体１と、イオン発生ユニット１０とを備える。本体１は、光源としてのＬＥＤを含む光源ユニット６と、ＬＥＤの熱を放出する放熱板３とを有する。イオン発生ユニット１０は、放熱板３の上面３ｃに設置される筐体２０と、筐体２０の内部において気流を発生させる渦流ファン３０と、イオン発生素子５０とを有する。筐体２０は、放熱板３の上面３ｃに対向する底面を構成する底部２７と、底部２７を貫通する開口２９とを有する。
【００４３】
この構成によれば、渦流ファン３０の作用によって筐体２０の内部を流通する気流が開口２９を介して放熱板３の上面３ｃを通ることにより、放熱板３を強制的にさらに冷却することができる。また、放熱板３による放熱を促進することによって、放熱板３の大きさを縮小することが可能であるため、放熱板３および照明器具１００を軽量化することができる。さらに、筐体２０に開口２９が形成されているため、筐体２０およびイオン発生ユニット１０の重量、並びに、照明器具１００の重量を低減させることができる。
【００４４】
このようにすることにより、効果的に熱量を放出することが可能なイオン発生ユニット１０を備えた照明器具１００を提供することができる。
【００４５】
照明器具１００は、放熱板３を備える。放熱板３は、本体１とイオン発生ユニット１０との間に配置される。筐体２０の周囲において、放熱板３と底部２７の底面との間には、隙間３ａが存在する。
【００４６】
この構成によれば、放熱板３と筐体２０との間に隙間３ａが存在するため、筺体２０の周囲に位置する放熱板３の上面３ｃに空気を通らせることができるので、放熱板３をさらに冷却することができる。また、放熱板３から放出される熱量がイオン発生ユニット１０に伝導することを防止することができる。
【００４７】
筐体２０には、吸込口２３と吹出口２４とが形成されている。吸込口２３は、本体１の外部から筐体２０の内部に空気を流入させ且つ略水平方向に面する。吹出口２４は、筐体２０の内部から本体１の外部に空気を流出させる。吹出口２４は、吸込口２３が配置される平面とは異なる平面上に配置されている。
【００４８】
照明器具１００によれば、イオン発生ユニット１０の吹出口２４が略鉛直下方に面することによって、イオン発生ユニット１０が発生させるイオンを下方に積極的に拡散させることができる。そのため、室内等の空間の上部から放出されるイオンを室内等の空間の全体に拡散させるまでに消滅させることなく、イオンを空間に効果的に拡散させることができる。
【００４９】
また、照明器具１００において、吸込口２３は略水平方向に面し、且つ、吹出口２４は略鉛直下方に面する。このように、照明器具１００においては、吸込口２３と吹出口２４とが同一の平面上に位置しないように、イオン発生ユニット１０を本体１に設置されている。そのため、吹出口２４と吸込口２３との間に空気のショートサーキットが発生することを防止することができる。ショートサーキットの発生を防止することによって、吹出口２４から一旦放出されたイオンが吸込口２３からイオン発生ユニット１０の内部に吸い込まれるような事態は発生し難いため、イオンを部屋全体に拡散させることが可能である。
【００５０】
また、吸込口２３が略水平方向に面し、且つ、吹出口２４が略鉛直下方に面することにより、吹出口２４と吸込口２３との間に空気のショートサーキットが発生することを防止しながら吸込口２３と吹出口２４との距離を縮小させることができる。そのため、筐体２０およびイオン発生ユニット１０、並びに、照明器具１００を小型化することができる。
【００５１】
照明器具１００は、天井に設置される照明器具であって、二つのイオン発生ユニット１０を備える。各イオン発生ユニット１０の上端は、天井に接触する。本体１の上方において、二つのイオン発生ユニット１０の位置は、本体１の中心に関して対称である。
【００５２】
本体１の上方において対称的に配置される二つのイオン発生ユニット１０によって、天井とイオン発生ユニット１０とが接触する部分の配置をバランス良く整えることができるため、照明器具１００の天井への設置を安定させることができる。また、２つのイオン発生ユニット１０から照明器具１００の外側に向けて広がるようにイオンを放出することができるため、室内等の空間に対して全体的にイオンを拡散させることができる。
【００５３】
照明器具１００は、渦流ファン３０を備える。渦流ファン３０は、略鉛直方向に延びるモータ軸３２を有し、且つ、筐体２０に収容される。渦流ファン３０は、放熱板３の上面３ｃが延びる方向と略平行な方向に流れる気流を発生させる。
【００５４】
この構成によれば、略水平方向に沿って吸込口２３から筐体２０の内部に空気を流入させることができるので、モータの回転軸が延びる方向に沿って空気を流入させる軸流ファンが筐体に配置される場合に比べて、ファンの軸方向に沿った筺体の高さを広げる必要がない。また、渦流ファン３０が発生させる気流を、放熱板３の上面３ｃが延びる方向と平行な方向（略水平方向）に吸込口２３から吹出口２４まで円滑に流れるように吸込口２３と吹出口２４とを近づけることができるため、イオン発生ユニット１０および照明器具１００の小型化が可能である。なお、本発明に従った照明器具のファンは、渦流ファンに限らず、軸流ファン等他のファンを適用することも可能である。
【００５５】
また、照明器具１００において、吸込口２３は、放熱板３の上面３ｃにおいて外縁部３ｂの近傍に配置され、且つ、本体１の半径方向の外側を向く。より具体的には、吸込口２３は、放熱板３の上面３ｃにおいて本体１の半径方向の外側から内側に向かう方向に空気が流入するように略水平方向に向けられている。この構成によれば、本体１に付着した塵埃等がイオン発生ユニット１０の内部に吸い込まれることを防止することができる。これにより、イオン発生ユニット１０の性能の低下を防止することができる。
【００５６】
吸込口２３と吹出口２４とは、筐体２０において互いに隣接するように配置される。このように、互いに隣接するように吸込口２３と吹出口２４とを筐体２０において配置することにより、吸込口２３と吹出口２４との距離が縮小されるため、筐体２０およびイオン発生ユニット１０、並びに、照明器具１００を小型化することができる。しかも、吸込口２３と吹出口２４は同一の平面上に位置しないように向けられているので、互いに隣接させたとしてもショートサーキットの発生を抑制することができる。
【００５７】
筐体２０の内部には、誘導壁２６が形成される。誘導壁２６は、水平方向に対して４０°以上且つ６０°以下の範囲で傾斜する面を形成する。誘導壁２６は、水平方向に対して４０°以上且つ６０°以下の範囲で傾斜する面によって、吹出口２４から放出される空気が流れる方向を調整する。
【００５８】
この構成によれば、照明器具１００の直下の領域から空間の端の領域までイオンを放出することができるため、室内等の空間に対して全体的にさらに効果的に拡散させることができる。
【００５９】
なお、本発明に従った照明器具においては、筐体の底部と放熱部の上面との間に隙間が形成されていなくてもよい。隙間が形成されていなくとも、開口２９を底部２７に形成することによって、筺体２０内部に発生する気流が開口２９に面する放熱板３の上面３ｃを通るため、放熱を促すことができる。ただし、隙間３ａが形成されている底部２７の周囲に位置する放熱板３の上面３ｃを気流が通るため、放熱板３による放熱を隙間３ａによってさらに促進することができる。
【００６０】
筐体２０の正面壁部２１に形成される吸込口２３の数は、特に限定されない。吸込口２３の口径は、図４に図示する口径よりも小さくてもよく、大きくてもよい。吸込口２３の口径は、空気を効率よく流入させることができ、且つ、筐体２０の内部への塵埃等の流入を防止することができる大きさであることが好ましい。吸込口２３の口径よりもさらに目の細かいネット状の部材が、正面壁部２１に取り付けられていてもよい。このようなネット状の部材は、正面壁部２１に形成された比較的大きな開口を塞ぐように、正面壁部２１に取り付けられていてもよい。
【００６１】
筐体２０の底部２７と放熱板３との間の隙間３ａは、例えば、放熱板３のうえに固定等される台座、または、筐体２０の底部２７から下方に延びる脚部材を、筐体２０の底部２７と放熱板３の上面との間に配置することによって形成されていてもよい。
【００６２】
筐体２０の外部と内部とを連通させ、且つ、放熱板３に面する開口は、筐体２０の底部２７に形成された複数の開口２９に限定されない。筐体の底面の略全体において開口する一つの開口が筐体に形成されていてもよい。このような一つの開口が形成される場合であっても、筐体の底面に形成される開口の全体の数は、一つであることに限定されない。筐体の底面の開口は、筐体および放熱部の形状、放熱部と筐体との間の隙間の位置および寸法、並びに、渦流ファン３０の回転によって生じる筐体の内部の圧力の分布の変化等を考慮して形成されることが好ましい。
【００６３】
イオン発生ユニット１０が備えるイオン発生素子５０の位置は、吹出口２４のさらに近傍であってもよく、筐体２０の外側であってもよい。ただし、イオン発生素子５０の位置は、正イオンと負イオンとの中和を防止するために、渦流ファン３０の下流であることが好ましい。
【００６４】
本発明に従った照明器具において、吹出口から流出する空気が流れる方向を調整する壁部の例は、筐体の吹出口の下流に設置されていてもよい。このような壁部は、吹出口から流出した空気が流れる方向を、水平方向に対して４０°以上且つ６０°以下の範囲で空気が流れるように調整する。
【００６５】
放熱板３および外枠部材２の形状は、特に限定されない。本発明に従った照明器具において、放熱部としての放熱板は、例えば多角形状を有していてもよく、カバー部材は、放熱板の形状に沿った形状を有していればよい。このように、本発明に従った照明器具において、本体の全体の形状は、特に限定されない。
【００６６】
なお、本発明に従った照明器具において、イオン発生ユニットの数は、特に限定されない。イオン発生ユニットの数は、一つであってもよく、三つ以上であってもよい。複数のイオン発生ユニットを照明器具が備える場合には、複数のイオン発生ユニットの位置が本体の中心に関して対称であればよい。また、この場合には、隣り合う二つのイオン発生ユニットは、互いに等間隔で離れていることが好ましい。
【００６７】
照明器具１００において、光源はＬＥＤであることに限定されない。光源は、ランプ、蛍光灯、または、ＥＬ（エレクトロルミネッセンス、無機質もしくは有機質は問わない）等、光を発するものであればよい。また、光源ユニット６または光源は、本体１に収容されることに限定されない。本発明に従った照明器具においては、本体が光源ユニットまたは光源を備えていればよく、光源ユニットまたは光源は、本体に取り付けられていてもよく、照明器具の外部に露出していてもよい。
【００６８】
なお、インジケータ６０の発光色は、好ましくは、光源ユニット６の発光色と異なっている。ただし、インジケータ６０の発光色は、光源ユニット６の発光色と同一であってもよい。
【００６９】
本発明に従った照明器具は、天井に設置される照明器具に限定されず、部屋等の室内の上部に配置される照明器具であればよい。本発明に従った照明器具は、壁に取り付けられる照明器具、または、台の上に載せられたうえで室内の上部に配置される照明器具であってもよい。
【００７０】
本発明に従った照明器具において、イオン発生ユニットは、本体の上面に配置されるものに限定されず、本体に収容されるものであってもよい。
【００７１】
イオン発生素子が発生させるイオンは、正イオンと負イオンとに限定されない。さらに、本発明に従った照明器具は、イオンを発生させるイオン発生素子を含むイオン発生ユニットを備えたものに限定されず、空気中の微細塵を帯電させることによって、空気中のウイルスまたはカビ菌等を不活化させることができる帯電体を生成する機器を備えていればよい。ここでいう帯電体とは、イオンと帯電微粒子水との総称である。つまり、イオンとは別の帯電体の例は、帯電微粒子水である。
【実施例】
【００７２】
（実験例１）
本発明に従った照明器具の効果の一つとして、イオンを室内等の空間に効果的に拡散させることが可能であるといった効果がある。実験例１においては、この効果を検証するために、本発明に従った上記の照明器具１００（図１参照）を室内の天井に設置し、当該室内におけるイオンの分布を確認した。
【００７３】
図９は、照明器具１００が設置された室内におけるイオンの濃度分布を示す概略図である。照明器具１００は、１４畳の広さに相当する２Ｌ四方の床面積を有する室内に設置された。長さＬは、２３８０ｍｍであった。また、室内の床面から天井までの高さＨは、２４００ｍｍであった。照明器具１００は、天井の略中心に設置された。照明器具１００の幅Ｗを示す直径は、６００ｍｍであった。
【００７４】
照明器具１００の光源を所定の調光の状態（全点灯）で点灯させながら、イオン発生ユニット１０（図１参照）を所定の時間作動させた。イオン発生ユニット１０がイオンを発生させる間に、筐体２０に収容された渦流ファン３０（いずれも図６参照）を１０００ｒｐｍで回転させた。照明器具１００におけるイオン発生ユニット１０の筐体２０の吹出口２４（いずれも図６参照）から水平方向に対して略５０°傾斜した角度で空気が吹き出されるように、天井が延びる方向に対して空気が吹き出される角度δを調整した。この角度δは、筐体２０の誘導壁２６（図５参照）によって略５０°に設定されている。
【００７５】
所定時間（６０分）が経過した後における室内のイオンの分布を図９に示す。
図９に示すように、照明器具１００によれば、天井から床面に向かって高濃度の分布の範囲が広がるように、イオンを室内等の空間に効果的に拡散させることが可能であることが確認された。
【００７６】
（実験例２）
本発明に従った照明器具の別の効果としては、放熱部を強制的にさらに冷却することができるため、放熱部の性能を向上させることができるといった効果がある。実験例２においては、この効果を検証するために、放熱部としての放熱板３（図１参照）に作用する冷却の効果を確認した。
【００７７】
実験例２には、実施例としての照明器具１００と、比較例の照明器具とを用いた。比較例の照明器具については、後述する。
【００７８】
まず、実施例としての照明器具１００を用いて実験例２を行なった。実験例２としては、照明器具１００（図１参照）において光源を点灯させ、且つ、イオン発生ユニット１０（図１参照）を作動させることによって、放熱板３（図１参照）に作用する冷却の効果を確認した。
【００７９】
実験例２においては、二つのイオン発生ユニット１０の筐体２０の直下の放熱板３（図６参照）のそれぞれの温度を、渦流ファン３０の作動を停止させる場合と渦流ファン３０を作動させる場合とに分けて測定した。実験例２において照明器具１００が置かれた空間の室温は、２６℃以上且つ２７℃以下であった。
【００８０】
実験例２においては、まず、照明器具１００の光源を全点灯させる一方で、イオン発生ユニット１０および渦流ファン３０（いずれも図６参照）の作動を停止させた。この状態を１５０分継続した時点において、二つのイオン発生ユニット１０の筐体２０の直下の放熱板３（図６参照）のそれぞれの温度を測定した。これら二つの温度の平均値を表１に示す。
【００８１】
【表１】
2014096259.tif 000003
【００８２】
表１の“０ｒｐｍ”欄に示すように、照明器具１００の光源を全点灯させる一方で、イオン発生ユニット１０および渦流ファン３０（いずれも図６参照）の作動を停止させた状態を１５０分継続した時点における放熱板３（図６参照）の温度は、５６．３℃であった。
【００８３】
続いて、照明器具１００の光源を全点灯させる一方で、イオン発生ユニット１０および渦流ファン３０（いずれも図６参照）の作動を停止させた状態を１５０分継続した後に、照明器具１００の光源を全点灯させたままで、イオン発生ユニット１０および渦流ファン３０（いずれも図６参照）の作動を開始した。このとき、渦流ファン３０を１０００ｒｐｍで回転させた。渦流ファン３０の回転を開始させた後に６０分経過した時点において、二つのイオン発生ユニット１０の筐体２０の直下の放熱板３（図６参照）のそれぞれの温度を測定した。表１には、これら二つの温度の平均値を示す。
【００８４】
表１の実施例の“１０００ｒｐｍ”欄に示すように、渦流ファン３０の回転を開始させた後に６０分経過した時点における放熱板３（図６参照）の温度は、３６．１℃であった。すなわち、照明器具１００において、渦流ファン３０の作動を停止させる場合と、渦流ファン３０を作動させる場合との放熱板３の温度の差分は、−２０．２℃であった（表１の実施例の“差分”欄参照）。
【００８５】
照明器具１００の比較例として、照明器具１００とは異なる照明器具を用意した。比較例の照明器具が上記の照明器具１００（図６参照）と異なる点は、比較例における照明器具のイオン発生ユニットの筐体の底部には、筐体の外部と内部とを連通させる開口が形成されておらず、当該底部において筐体の外部と内部とが閉塞されている。比較例の照明器具のその他の構成は、照明器具１００と同様である。そのため、これらの構成については、説明を省略し、以下において照明器具１００における各構成の符号と同じ符号を用いる。
【００８６】
比較例の照明器具を用いて、実施例としての照明器具１００に対する実験例２に並行して、同様に行なった。つまり、比較例の照明器具を用いて、二つのイオン発生ユニット１０の筐体２０の直下の放熱板３のそれぞれの温度を、渦流ファン３０の作動を停止させる場合と渦流ファン３０を作動させる場合とに分けて測定した。
【００８７】
表１の“０ｒｐｍ”欄に示すように、比較例の照明器具の光源を全点灯させる一方で、イオン発生ユニット１０および渦流ファン３０の作動を停止させた状態を１５０分継続した時点における放熱板３の温度も、５６．３℃であった。
【００８８】
続いて、比較例の照明器具の光源を全点灯させる一方で、イオン発生ユニット１０および渦流ファン３０の作動を停止させた状態を１５０分継続した後に、比較例の照明器具の光源を全点灯させたままで、イオン発生ユニット１０および渦流ファン３０の作動を開始した。このとき、渦流ファン３０を１０００ｒｐｍで回転させた。渦流ファン３０の回転を開始させた後に６０分経過した時点において、二つのイオン発生ユニット１０の筐体２０の直下の放熱板３のそれぞれの温度を測定した。これら二つの温度の平均値を表１に示す。
【００８９】
表１の比較例の“１０００ｒｐｍ”欄に示すように、渦流ファン３０の回転を開始させた後に６０分経過した時点における放熱板３の温度は、４２．６℃であった。すなわち、比較例の照明器具において、渦流ファン３０の作動を停止させる場合と、渦流ファン３０を作動させる場合との放熱板３の温度の差分は、−１３．７℃であった（表１の実施例の“差分”欄参照）。
【００９０】
上記表１の差分の欄に示すように、照明器具１００によれば、放熱板３に作用する冷却の効果の向上が可能であることが確認された。
【００９１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００９２】
Ｃ：中心、１：本体、２ａ：外縁、３：放熱板、３ａ：隙間、６：光源ユニット、８：ルーバ、１０：イオン発生ユニット、２０：筐体、２３：吸込口、２４：吹出口、２６：誘導壁、２９：開口、３０：渦流ファン、３２：モータ軸、１００：照明器具
【図１】
2014096259.tif 000004
【図２】
2014096259.tif 000005
【図３】
2014096259.tif 000006
【図４】
2014096259.tif 000007
【図５】
2014096259.tif 000008
【図６】
2014096259.tif 000009
【図７】
2014096259.tif 000010
【図８】
2014096259.tif 000011
【図９】
2014096259.tif 000012